(57)【特許請求の範囲】
【請求項１】
釣合重りガイドレール用レールゲージを仮置きする水平部材と、
前記水平部材を支持する縦部材と、
前記縦部材に設けられ、昇降路内を昇降移動する搬器の支持部に引っ掛け係合される引っ掛け部材とを備え、
前記釣合重りガイドレール用レールゲージを釣合重りガイドレールに係合する際、前記搬器からオーバーハングした位置にある前記釣合重りガイドレール用レールゲージを前記水平部材上に仮置きできるようにしたことを特徴とするエレベータのレールゲージサポート部材。
【請求項２】
左右同一高さに設定され、釣合重りガイドレール用レールゲージの両端部を仮置きする水平部材と、
前記水平部材を支持する縦部材と、
前記縦部材に設けられ、昇降路内を昇降移動する搬器上の後面手摺に引っ掛け係合される引っ掛け部材とを備え、
前記釣合重りガイドレール用レールゲージを釣合重りガイドレールに係合する際、前記搬器からオーバーハングした位置にある前記釣合重りガイドレール用レールゲージの両端部を前記水平部材上に仮置きできるようにしたことを特徴とするエレベータのレールゲージサポート部材。
【請求項３】
水平部材は、先端部にレールゲージ落下防止用のストッパを有することを特徴とする請求項１又は請求項２記載のエレベータのレールゲージサポート部材。
【請求項４】
水平部材を折り畳み可能な構造とし、搬器が釣合重りを通過する時は、前記水平部材上に仮置きする釣合重りガイドレール用レールゲージを取り外し、かつ水平部材を折り畳むことにより、搬器の移動を可能にしたことを特徴とする請求項１〜請求項３のいずれかに記載のエレベータのレールゲージサポート部材。
【請求項５】
引っ掛け部材は、縦部材に対して高さ方向の調整が可能な構造としたことを特徴とする請求項１〜請求項４のいずれかに記載のエレベータのレールゲージサポート部材。
【請求項６】
引っ掛け部材の高さ設定は、縦部材に設けられたガイドピンを前記引っ掛け部材に設けられた複数個のガイド穴に選択的に嵌め込むことにより段階的に設定できることを特徴とする請求項５記載のエレベータのレールゲージサポート部材。
【発明の詳細な説明】
【技術分野】
【０００１】
この発明は、エレベータのガイドレール芯出し作業に用いられるレールゲージサポート部材に関するものである。
【背景技術】
【０００２】
従来一般に、エレベータのガイドレール芯出し装置においては、まずガイドレールをブラケットに仮固定した状態で、主かんの両端部に設けた各定規板に形成されている定規面をガイドレールの側面に仮当てする。その後、取付機構をガイドレールのフランジ部に取り付け、ナットを締め付けることによりガイドレールのレール面をストッパに突き当てると共に、レール側面が定規面に確実に一致するように調整し、同時に水準器によって水平を確認する。次いで、芯出し装置をガイドレール間に装着した状態で、ゲージ用切り欠き周辺のケガキ線などからなる位置決め用マーキングに芯出し用ピアノ線を合わせて位置決めし、その後ガイドレールをブラケットに固定し、さらにその後治具を取り外している（例えば、特許文献１参照）。
また、他の従来技術として、芯出し用の一対のピアノ線に係合するとともに、一対のかごガイドレールに係合し、ピアノ線に基づいてかごガイドレールの芯出しを行うための第１のゲージと、釣合重りガイドレールに係合し、釣合重りガイドレールの芯出しを行うための第２のゲージと、第１のゲージに対して第２のゲージが所定の位置となるように第１及び第２のゲージを連結する連結体を備えたエレベータのガイドレール芯出し装置がある（例えば、特許文献２参照）。
【０００３】
【特許文献１】実開昭６０−４０５３７号公報
【特許文献２】特開２００２−３６２８５０号公報
【発明の開示】
【発明が解決しようとする課題】
【０００４】
従来のエレベータのガイドレール芯出し装置では、レールゲージを手で保持しながら、ガイドレールに係合させているので、搬器であるエレベータのかごからオーバーハングした位置でレールゲージ本体の自重を手で支えながら、レールゲージの水平度を確認しつつ、レールゲージを釣合重りガイドレールに係合させる必要があった。レールゲージの重量は、レールサイズが大きくなった場合、１０〜２０ｋｇにもなるため、その重量を身体から離れた位置で長時間手で支えるのは大きな負担であり、疲労度が増し、レールゲージが安定した状態で取り付けられず、落下させる恐れがあるという問題があった。
【０００５】
この発明は上記のような課題を解決するためになされたもので、かご等の搬器からオーバーハングした位置のレールゲージを手で保持する必要がなく、レールゲージをガイドレールに係合する際、仮置きできる構造とすることで、作業効率を向上できるエレベータのレールゲージサポート部材を提供するものである。
【課題を解決するための手段】
【０００６】
この発明に係るエレベータのレールゲージサポート部材は、釣合重りガイドレール用レールゲージを仮置きする水平部材と、水平部材を支持する縦部材と、縦部材に設けられ、昇降路内を昇降移動する搬器の支持部に引っ掛け係合される引っ掛け部材とを備え、釣合重りガイドレール用レールゲージを釣合重りガイドレールに係合する際、搬器からオーバーハングした位置にある釣合重りガイドレール用レールゲージを水平部材上に仮置きできるようにしたものである。
【発明の効果】
【０００７】
この発明によれば、搬器からオーバーハングした位置でレールゲージを手で保持する必要がなく、作業効率を向上することができる。特にレールサイズが大きくなった場合、レールゲージの自重も重くなるため、仮置きすることで疲労を軽減することができる。
【発明を実施するための最良の形態】
【０００８】
実施の形態１.
図１はこの発明の実施の形態１におけるエレベータのレールゲージサポート部材を備えた昇降路断面を示す概略側面図、図２はこの発明の実施の形態１におけるエレベータのレールゲージサポート部材を備えたエレベータのかご上を示す平面図、図３はこの発明の実施の形態１におけるエレベータのレールゲージサポート部材の構成を示す斜視図である。
【０００９】
図において、１は昇降路、２は昇降路１に立設されたかごガイドレール、３は昇降路１に立設された釣合重りガイドレール、４はかごガイドレール２に案内されて昇降する搬器であるかご、５は釣合重りガイドレール３に案内されて昇降する釣合重り、６は搬器であるかご４の上部周囲に取り付けられた手摺で、例えば、左右の側面手摺６ａ、釣合重りガイドレール３側となる後面手摺６ｂ等からなっている。そして、少なくとも後面手摺６ｂは上下２本の角パイプから構成されており、上下２本の角パイプの各上面は水平面となっている。７は後面手摺６ｂの外側、すなわち釣合重りガイドレール３側に搬器からオーバーハングした位置で互いに間隔を置いて上下部を引っ掛けて取り付けられる左右一対のレールゲージサポート部材である。この各レールゲージサポート部材７は、取付部となる縦部材７ａと、レールゲージの仮置き支持部となる水平部材７ｂとからなるＬ字状を呈しており、縦部材７ａの取付面（背面）側の上下部にはコ字状の引っ掛け部材７ｃがそれぞれ固着されている。そして、この引っ掛け部材７ｃが上記後面手摺６ｂの上下２本の角パイプの上面上に水平状態を保持して引っ掛けることにより、工具無しで取り付けられて、左右一対のレールゲージサポート部材７の水平度を確保している。なお、レールゲージサポート部材７の引っ掛け個所は、釣合重りガイドレール用レールゲージが配置される搬器の付近となり、また、引っ掛け状態は後面手摺６ｂと引っ掛け部材７ｃには若干のクリアランスはあるがガタツキが余り無い状態である。８はかごガイドレール用レールゲージで、その両端部をかごガイドレール２にそれぞれ係合する際には、搬器であるかご４上部の左右の側面手摺６ａ上に載置され、ゲージに取り付けた水準器によって水平を保ちながら係合させる。９は釣合重りガイドレール用レールゲージで、その両端部を釣合重りガイドレール３にそれぞれ係合する際には、搬器であるかご４上部の後面手摺６ｂに水平状態を保持して引っ掛けられた左右一対のレールゲージサポート部材７の水平部材７ｂ上に仮置き状態に載置され、ゲージに取り付けた水準器によって水平を保ちながら係合させる。これにより、釣合重りガイドレール３に釣合重りガイドレール用レールゲージ９を係合する際には、搬器の支持部である後面手摺６ｂに引っ掛けたレールゲージサポート部材７の水平部材７ｂ上に釣合重りガイドレール用レールゲージ９を仮置きし、その後レールゲージサポート部材７の水平部材７ｂ上を摺動させて、釣合重りガイドレール３に係合させることができる。
【００１０】
この実施の形態１によれば、搬器からオーバーハングした位置でレールゲージを手で保持する必要がなく、作業効率を向上することができる。特にレールサイズが大きくなった場合、レールゲージの自重も重くなるため、仮置きすることで疲労を軽減することができる。また、レールゲージを落下させることもなく、レールゲージの係合が確実にできる。
【００１１】
実施の形態２.
図４はこの発明の実施の形態２におけるエレベータのレールゲージサポート部材の構成を示す斜視図である。なお、実施の形態１と同一又は相当部分には同一符号を付して説明を省略する。
【００１２】
上記実施の形態１では、釣合重りガイドレール用レールゲージ９をレールゲージサポート部材７上に載置したまま、搬器であるかご４が移動する際、振動や不意にレールゲージに触れた場合は、レールゲージサポート部材７からレールゲージ９が落下する可能性があるが、この実施の形態２においては、図４に示すように、各レールゲージサポート部材７の水平部材７ｂの先端部分の上面部にレールゲージ落下防止用のストッパ１０を鉛直に配置したものである。このストッパ１０は、釣合重りガイドレール用レールゲージ９を仮置きする時、釣合重りガイドレール用レールゲージ９が転がったりしても落ちないような長さとしている。
【００１３】
この実施の形態２によれば、釣合重りガイドレール用レールゲージの落下を確実に防止することができる。
【００１４】
実施の形態３.
図５はこの発明の実施の形態３におけるエレベータのレールゲージサポート部材の構成を示す斜視図、図６は釣合重りを通過する前の通常状態を示す要部側面図、図７は釣合重りを通過する時の折り畳み状態を示す要部側面図である。なお、実施の形態１、２と同一又は相当部分には同一符号を付して説明を省略する。
【００１５】
釣合重りガイドレール用レールゲージ９は、釣合重り５の重り枠の投影面上に重なる位置にある。したがって、釣合重りガイドレール用レールゲージ９を仮置きするレールゲージサポート部材７も同じく重なる位置となるため、搬器であるかご４の移動作業床で最下階から昇降路上方へ移動する際に中間階付近でかご作業床と釣合重り５とがすれ違う場合、レールゲージサポート部材７がそのままの状態では釣合重り５と干渉することになってしまう。そこで、この実施の形態３においては、各レールゲージサポート部材７の縦部材７ａを断面コ字状とし、この縦部材７ａの上端部に水平方向の長穴１１を設け、この長穴１１とそれに嵌合する回転支持ピン１２とにより水平部材７ｂを摺動可能でかつ回転可能となるように接合している。そして、水平部材７ｂの水平保持は、縦部材７ａの上端面に設けられた縦スリット１３に水平部材７ｂに設けられた保持ピン１４が係合することにより水平に保持される。
したがって、搬器であるかご４の移動時に、中間階付近で釣合重り５を通過する際には、釣合重りガイドレール用レールゲージ９をレールゲージサポート部材７から一旦取外し、図７に示すように、レールゲージサポート部材７の水平部材７ｂを縦部材７ａの回転支持部分を中心に折り畳み、釣合重り５との干渉を回避する。この折り畳み時は、回転支持ピン１２を中心に水平部材７ｂの保持ピン１４を上方に抜き上げ、縦部材７ａの水平方向の長穴１１により縦部材７ａから引離す方向に水平部材７ｂを摺動させながら水平部材７ｂの先端を下方に回転させる。そして、搬器であるかご４が釣合重り５を通過した後は、図６に示すように、再び元の状態に復帰させてから、釣合重りガイドレール用レールゲージ９をレールゲージサポート部材７に仮置きする。
【００１６】
この実施の形態３によれば、釣合重りを通過する際にレールゲージサポート部材の水平部材を折り畳むことができるので、レールゲージサポート部材が釣合重りと干渉することがないからレールゲージサポート部材を取り外す必要がない。また、レールゲージサポート部材を運送・輸送時にコンパクトに収納できる。
【００１７】
実施の形態４.
図８はこの発明の実施の形態４におけるエレベータのレールゲージサポート部材を備えたエレベータのかご上を示す平面図、図９はこの発明の実施の形態４におけるエレベータのレールゲージサポート部材の構成を示す斜視図である。なお、実施の形態１〜３と同一又は相当部分には同一符号を付して説明を省略する。
【００１８】
搬器であるかご４の上部周囲に取り付けられる手摺６の高さは、折り畳み構造のため、例えば、側面手摺６ａの上部横梁の下面の下に後面手摺６ｂの上端が納まるので、側面手摺６ａと後面手摺６ｂの高さが異なる。また、機種コードによっては手摺６に使用する素材サイズが異なることがある。また、芯出し用ピアノ線はかご側のみで釣合重り側は無いため、かごガイドレール基準で芯出しする際、釣合重り側のレールゲージ高さ合わせを行う必要があり、かごレールゲージと釣合重りレールゲージの高さを連結したサブゲージの上の水準器で水平確認を行っていた。この実施の形態４においては、図９に示すように、レールゲージサポート部材７の縦部材７ａの背面から両側面にかけて接触する別体構成の引っ掛け部材７ｃを設け、この引っ掛け部材７ｃの両側面部に縦方向の長穴１５を設け、蝶ボルト１６で縦部材７ａの任意に高さ位置に引っ掛け部材７ｃを固定できるようにしている。また、縦部材７ａの側面には縦方向に複数個のネジ穴（図示せず）が施されている。なお、図８において、１７はかごガイドレール基準で釣合重りガイドレール用レールゲージ９を芯出しする時、対角寸法を設定するための２本のサブゲージであり、かごガイドレール用レールゲージ８の両端部と釣合重りガイドレール用レールゲージ９の一端部をそれぞれ連結している。
したがって、かごガイドレール基準で釣合重りガイドレール用レールゲージ９を芯出しする時、対角寸法を２本のサブゲージ１７で設定するが、上記のように側面手摺６ａと後面手摺６ｂの高さが違う場合、手摺６に対するレールゲージサポート部材７の高さを引っ掛け部材７ｃに設けた長穴１５、蝶ボルト１６、複数個のネジ穴により高さ調整して、かごガイドレール用レールゲージ８と高さを合わせる。
【００１９】
この実施の形態４によれば、側面手摺と後面手摺の高さが違う場合でも、手摺に対するレールゲージサポート部材の高さを引っ掛け部材に設けた長穴、蝶ボルト、ネジ穴により高さ調整して、かごガイドレール用レールゲージと高さを合わせることができるので、芯出し精度を向上させることができる。
【００２０】
実施の形態５.
図１０はこの発明の実施の形態５におけるエレベータのレールゲージサポート部材の構成を示す斜視図、図１１〜図１４はレールゲージサポート部材の縦部材と引っ掛け部材の組み合わせ設定例を示す部分側面図である。なお、実施の形態４と同一又は相当部分には同一符号を付して説明を省略する。
【００２１】
機種コード毎、側面手摺毎、後面手摺毎に段階的な設定高さの調整が必要になることがある。この場合は、実施の形態４の長穴７ｉでは位置合わせに苦慮することがある。上記実施の形態４では、レールゲージサポート部材７の縦部材７ａの背面から両側面にかけて接触する別体構成の引っ掛け部材７ｃを設け、この引っ掛け部材７ｃの両側面に縦方向の長穴１５を設け、蝶ボルト１６で縦部材７ａの任意に高さ位置に引っ掛け部材７ｃを固定できるようにし、縦部材７ａの側面には縦方向に複数個のネジ穴（図示せず）を施しているが、この実施の形態５においては、更に加えて、図１０に示すように、引っ掛け部材７ｃの両側面の縦方向の長穴１５の横に隣接して縦方向に複数個のガイド穴１８を設け、また縦部材７ａの複数個のネジ穴の横には引っ掛け部材７ｃの長穴１５とガイド穴１８と同一ピッチの位置に一個所ガイドピン１９を打ち込んでいる。そして、位置合わせは、高さ調整する段階に合わせたガイド穴１８の縦配列ピッチの寸法で行う。また、位置設定は、ガイドピン１９がガイド穴１８から抜ける程度まで蝶ボルト１６を緩め、所定のガイド穴１８まで移動させ、ガイドピン１９をガイド穴１８に嵌め込み、蝶ボルト１６で固定することにより行う（図１１〜図１４）。
【００２２】
この実施の形態５によれば、側面手摺と後面手摺との高さの差が段階的に決まっているので、レールゲージサポート部材を高さ調整する場合、ガイドピンを所定のガイド穴に嵌め込み、蝶ボルトで固定することにより、高さを設定できるので、高さ調整が簡単にでき、段階的に確実に固定できる。また、蝶ボルトが緩んでも落下する恐れがない。
【図面の簡単な説明】
【００２３】
【図１】この発明の実施の形態１におけるエレベータのレールゲージサポート部材を備えた昇降路断面を示す概略側面図である。
【図２】この発明の実施の形態１におけるエレベータのレールゲージサポート部材を備えたエレベータのかご上を示す平面図である。
【図３】この発明の実施の形態１におけるエレベータのレールゲージサポート部材の構成を示す斜視図である。
【図４】この発明の実施の形態２におけるエレベータのレールゲージサポート部材の構成を示す斜視図である。
【図５】この発明の実施の形態３におけるエレベータのレールゲージサポート部材の構成を示す斜視図である。
【図６】釣合重りを通過する前の通常状態を示す要部側面図である。
【図７】釣合重りを通過する時の折り畳み状態を示す要部側面図である。
【図８】この発明の実施の形態４におけるエレベータのレールゲージサポート部材を備えたエレベータのかご上を示す平面図である。
【図９】この発明の実施の形態４におけるエレベータのレールゲージサポート部材の構成を示す斜視図である。
【図１０】この発明の実施の形態５におけるエレベータのレールゲージサポート部材の構成を示す斜視図である。
【図１１】レールゲージサポート部材の縦部材と引っ掛け部材の組み合わせ設定例を示す部分側面図である。
【図１２】レールゲージサポート部材の縦部材と引っ掛け部材の組み合わせ設定例を示す部分側面図である。
【図１３】レールゲージサポート部材の縦部材と引っ掛け部材の組み合わせ設定例を示す部分側面図である。
【図１４】レールゲージサポート部材の縦部材と引っ掛け部材の組み合わせ設定例を示す部分側面図である。
【符号の説明】
【００２４】
１  昇降路
２  かごガイドレール
３  釣合重りガイドレール
４  かご（搬器）
５  釣合重り
６  手摺
６ａ  側面手摺
６ｂ  後面手摺（支持部）
７  レールゲージサポート部材
７ａ  縦部材
７ｂ  水平部材
７ｃ  引っ掛け部材
８  かごガイドレール用レールゲージ
９  釣合重りガイドレール用レールゲージ
１０  ストッパ
１１  長穴
１２  回転支持ピン
１３  縦スリット
１４  保持ピン
１５  長穴
１６  蝶ボルト
１７  サブゲージ
１８  ガイド穴
１９  ガイドピン
【図１】
0004807144.tif 000002
【図２】
0004807144.tif 000003
【図３】
0004807144.tif 000004
【図４】
0004807144.tif 000005
【図５】
0004807144.tif 000006
【図６】
0004807144.tif 000007
【図７】
0004807144.tif 000008
【図８】
0004807144.tif 000009
【図９】
0004807144.tif 000010
【図１０】
0004807144.tif 000011
【図１１】
0004807144.tif 000012
【図１２】
0004807144.tif 000013
【図１３】
0004807144.tif 000014
【図１４】
0004807144.tif 000015